(57)【要約】【課題】軽量で、かつ、長時間にわたって十分な明るさを発揮し得る携帯用ライトを提供する。【解決手段】蓄電池を内有する本体ケーシング１の上面に後方延伸状の把手部４を形成すると共に本体ケーシング１の前面に発光部８を設け、発光部８は、５個〜１５個のＬＥＤを有し、かつ、各ＬＥＤの光を前方へ向けて照射させるための凹状鏡面部７がＬＥＤ毎に形成された１枚の反射板９を備え、総重量が２ｋｇ以下に設定され、かつ、ＬＥＤを全て点灯させた状態で、前方１００ｍｍの離隔位置で１００００ｌｕｘ〜３００００ｌｕｘの光を照射するように構成している。【選択図】図１
2015046276.tif 000002
【特許請求の範囲】
【請求項１】
蓄電池を内有する本体ケーシング（１）の上面に後方延伸状の把手部（４）を形成すると共に上記本体ケーシング（１）の前面に発光部（８）を設け、
該発光部（８）は、５個〜１５個のＬＥＤ（６）を有し、かつ、各ＬＥＤ（６）の光を前方へ向けて照射させるための凹状鏡面部（７）が該ＬＥＤ（６）毎に形成された１枚の反射板（９）を備え、
総重量が２ｋｇ以下に設定され、かつ、上記ＬＥＤ（６）を全て点灯させた状態で、前方１００ｍｍの離隔位置で１００００ｌｕｘ〜３００００ｌｕｘの光を照射するように構成したことを特徴とする携帯用ライト。
【請求項２】
上記把手部（４）は、後端部（４Ａ）が自由端となるように形成され、該後端部（４Ａ）には、シガーライト用プラグ差込自在の電力取出孔部（５）が設けられている請求項１記載の携帯用ライト。
【請求項３】
上記本体ケーシング（１）は、後端面（１Ａ）が鉛直状平坦面に形成されている請求項１又は２記載の携帯用ライト。
【発明の詳細な説明】
【技術分野】
【０００１】
本発明は、携帯用ライトに関する。
【背景技術】
【０００２】
従来、蓄電池を備えた携帯用ライトが提案されている（特許文献１参照）。
【先行技術文献】
【特許文献】
【０００３】
【特許文献１】特開２０１３−８５５３号公報
【発明の概要】
【発明が解決しようとする課題】
【０００４】
しかし、従来の携帯用ライトは、重量が大きく、照明としての明るさも十分ではなかった。例えば、特許文献１記載の携帯用ライトに於て、総重量を７ｋｇ以下、照明の１ｍ離隔位置の最大照度を９０ｌｕｘ、平均照度２５ｌｕｘ以上に設定している。特許文献１記載の携帯用ライトは、重すぎて、持ち歩くのには不便だった。また、照明の明るさが十分でなく、ライトに近い周辺を照らすことしかできなかった。特に、地震や台風等の災害時には、非常用照明としての役割を十分に果たせないという欠点があった。
【０００５】
そこで、本発明は、軽量で、かつ、十分な明るさの光を照射する携帯用ライトを提供することを目的とする。
【課題を解決するための手段】
【０００６】
本発明に係る携帯用ライトは、蓄電池を内有する本体ケーシングの上面に後方延伸状の把手部を形成すると共に上記本体ケーシングの前面に発光部を設け、該発光部は、５個〜１５個のＬＥＤを有し、かつ、各ＬＥＤの光を前方へ向けて照射させるための凹状鏡面部が該ＬＥＤ毎に形成された１枚の反射板を備え、総重量が２ｋｇ以下に設定され、かつ、上記ＬＥＤを全て点灯させた状態で、前方１００ｍｍの離隔位置で１００００ｌｕｘ〜３００００ｌｕｘの光を照射するように構成したものである。
【０００７】
また、上記把手部は、後端部が自由端となるように形成され、該後端部には、シガーライト用プラグ差込自在の電力取出孔部が設けられているものである。
また、上記本体ケーシングは、後端面が鉛直状平坦面に形成されているものである。
【発明の効果】
【０００８】
本発明の携帯用ライトによれば、小さな力で容易に持ち運ぶことができる。５〜１５個のＬＥＤの光を前方に向けて真っ直ぐに照射でき、遠くまで明るく照らすことができる。消費電力が少なく済み、長時間使用できる。
【図面の簡単な説明】
【０００９】
【図１】本発明の実施の一形態を示した斜視図である。
【図２】本発明の携帯用ライトの正面図である。
【図３】本発明の携帯用ライトの背面図である。
【図４】図２のＡ−Ａ断面図である。
【図５】図３のＢ−Ｂ断面図である。
【図６】本発明の携帯用ライトの充電状態を示す斜視図である。
【図７】本発明の携帯用ライトの使用状態の一例を示す斜視図である。
【図８】本発明の携帯用ライトの使用状態の他の例を示す斜視図である。
【図９】本発明の携帯用ライトの使用状態の別の例を示す斜視図である。
【発明を実施するための形態】
【００１０】
以下、実施の形態を示す図面に基づき本発明を詳説する。
図１に示すように、本発明の携帯用ライトは、蓄電池を内有する本体ケーシング１の上面に後方延伸状の把手部４を形成すると共に本体ケーシング１の前面に発光部８を設けている。
本体ケーシング１は、合成樹脂から成り、好ましくは、ゲルマニウムや活性石、あるいは、イオン活性パウダーが練り込まれている。把手部４は、本体ケーシング１の前端部から上方に立ち上がり後方に向けて弯曲する弯曲部４Ｃと、弯曲部４Ｃから後方に延設され略水平状に支持される水平腕部４Ｂとを、有している。弯曲部４Ｃには、発光部８のＯＮ／ＯＦＦを切換えるためのスイッチ部３が設けられている。なお、蓄電池としては、鉛蓄電池を使用でき、軽量であるのが好ましい。
【００１１】
図２と図４に示すように、発光部８は、５個〜１５個のＬＥＤ６を有し、かつ、各ＬＥＤ６の光を前方へ向けて照射させるための凹状鏡面部７がＬＥＤ６毎に形成された１枚の反射板９を備えている。
ＬＥＤ６は、本体ケーシング１内の蓄電池に電気的に接続された基板３０に固着され、スイッチ部３のＯＮ／ＯＦＦ切換操作によって、全て同時に点灯／消灯するように設定されている。図２に於て、ＬＥＤ６は、９個使用され、前方から見て、発光部８の中央に１個のＬＥＤ６が配設され、その周囲を取り囲むように８個のＬＥＤ６が均等な間隔で周状に配設されている。
反射板９は、合成樹脂の成形品から成り、（９個の）ＬＥＤ６に対応して９個の凹状鏡面部７が形成されている。（９個の）各凹状鏡面部７の奥部には、ＬＥＤ６を挿通するための貫通孔が形成されている。凹状鏡面部７は、漏斗状に形成され、内周面にはメッキが施され、奥部に向かうにつれて次第に丸く弯曲している。反射板９の前面側には、透明板１３が配設されている。透明板１３は、合成樹脂から成り、薄肉の平らな円盤状に形成されている。
ＬＥＤ６と反射板９は、本体ケーシング１の円筒部２に内設されている。円筒部２の外周面には、雄ねじ部が形成され、円筒部２に螺着可能な円環状キャップ部材１０によって、ＬＥＤ６と反射板９が透明板１３と共に保持されている。円環状キャップ部材１０は、円形の窓部１０Ａを有し、透明板１３の外周縁部を支持している。即ち、発光部８は、９個のＬＥＤ６と反射板９の（９個の）凹状鏡面部７から前方に光を照射するように構成されている。
【００１２】
本発明の携帯用ライトは、総重量が２ｋｇ以下に設定され、かつ、ＬＥＤ６を全て点灯させた状態で、前方１００ｍｍの離隔位置で１００００ｌｕｘ〜３００００ｌｕｘの光を照射するように構成している。
より好ましくは、総重量は１．６ｋｇ〜１．８ｋｇに設定する。ＬＥＤ６の１個当りの消費電力は０．０６Ｗ／ｈとし、９個のＬＥＤ６をもって前方１００ｍｍの離隔位置で１６０００ｌｕｘ〜２００００ｌｕｘの光を発する。蓄電池は電圧ＤＣ１２Ｖで電流４Ａ／ｈの容量とし、ＬＥＤ６を全て点灯させた状態で、５０時間〜８０時間にわたって連続点灯が可能である。
即ち、本発明の携帯用ライトは、重量が軽く、片手で容易に持ち運ぶことができる。また、発光部８の９個のＬＥＤ６により十分に明るい光を発し、かつ、反射板９によって、ＬＥＤ６の光を前方に向けて照射することで、８０ｍ〜１００ｍ離れた遠くの所まで明るく照らすことができ、いわゆるサーチライトとして使用できるように構成されている。さらに、消費電力が少ない為、点灯可能時間が長く、特に、台風や地震等の災害での停電時には、非常用照明としての役割を十分に果たし、２日〜３日にわたって連続使用できる。また、後述のソーラーパネル３１をもって充電すれば、太陽光がある限り、どのような場所でも使用し続けることができる。
【００１３】
図３と図５に示すように、把手部４は、後端部４Ａが自由端となるように形成され、後端部４Ａには、シガーライト用プラグ差込自在の電力取出孔部５が設けられている。
電力取出孔部５は、把手部４の水平腕部４Ｂに内設された有底円筒形状のソケット１５によって形成され、ソケット１５は、蓄電池に電気的に接続されている。ソケット１５は、把手部４の後端部４Ａに外嵌状に取着される樹脂筒１４によって、把手部４内に保持されている。
【００１４】
図３に示すように、本体ケーシング１は、後端面１Ａが鉛直状平坦面に形成されている。
本体ケーシング１の後端面１Ａと把手部４の後端縁は、略同一平面状となるように形成されている。
本体ケーシング１の後端面１Ａ下部には、充電用端子が挿入可能な電力取入ジャック１２が設けられている。
図６に示すように、本発明の携帯用ライトは、ソーラーパネル３１に接続して充電が可能である。ソーラーパネル３１に太陽光を当て、ソーラーパネル３１から延びる充電用ケーブルのプラグを電力取入ジャック１２に差し込んで、蓄電池に電力を供給して充電する。また、家庭電源用充電ケーブル３２を用いて充電することもでき、あるいは、シガーライト用プラグを有する自動車用充電ケーブル３３を用いることも可能である。
【００１５】
上述した本発明の携帯用ライトの使用方法（作用）について説明する。
本発明の携帯用ライトは、夜道を歩く際、また、台風や地震等の災害に於ける停電時に、ＬＥＤ６を点灯させ、前方を明るく照らすサーチライトとして使用される。把手部４を片手でもって持ち運ぶことができる為、犬の散歩やキャンプ、夜釣り等で両手が使用できない時に便利である。本発明の携帯用ライトは、片手で把手部４を持って持ち歩く際、本体ケーシング１の重心上方位置で支持する為、バランスが取り易い。
また、図７に示すように、本発明の携帯用ライトは、持ち運び可能な簡易電源として使用でき、例えば、把手部４の電力取出孔部５に、イオン空気活性器４０を差し込んで使用する。イオン空気活性器４０は、シガーライト用プラグを備え、蓄電池から電力の供給を受けて、陽イオンを発生する。
【００１６】
また、図８に示すように、他の使用例として、把手部４の電力取出孔部５に、ＵＳＢ変換器４３を介して電子機器充電ケーブル４１を接続して使用する。ＵＳＢ変換器４３は、シガーライト用プラグとして電力取出孔部５に差込可能であり、かつ、ＵＳＢ端子差込孔を有している。電子機器充電ケーブル４１は、複数種類の電子機器接続用端子を有し、その内の１つがＵＳＢ端子とし、その他を携帯電話やスマートフォン、タブレット端末等に接続可能な充電用端子としている。電子機器充電ケーブル４１は、蓄電池から電力を取り出して、携帯電話やスマートフォン等の電子機器を充電するために使用される。
図９に示すように、本発明の携帯用ライトは、後端面１Ａを下向きにして置き、発光部８の上に光拡散手段４２を載置して、ランタンとしての使用も可能である。光拡散手段４２は、水を入れたペットボトルを利用し、発光部８から上方に照射される真っ直ぐの光を全方位に拡散する。
【００１７】
なお、本発明は、設計変更可能であって、例えば、ＬＥＤ６は、個数の変更に伴って、その配置を変更することが可能である。また、本体ケーシング１に内蔵するゲルマニウム等は省略しても良い。
【００１８】
以上のように、本発明に係る携帯用ライトは、蓄電池を内有する本体ケーシング１の上面に後方延伸状の把手部４を形成すると共に本体ケーシング１の前面に発光部８を設け、発光部８は、５個〜１５個のＬＥＤ６を有し、かつ、各ＬＥＤ６の光を前方へ向けて照射させるための凹状鏡面部７がＬＥＤ６毎に形成された１枚の反射板９を備え、総重量が２ｋｇ以下に設定され、かつ、ＬＥＤ６を全て点灯させた状態で、前方１００ｍｍの離隔位置で１００００ｌｕｘ〜３００００ｌｕｘの光を照射するように構成したので、小さな力で容易に持ち運ぶことができる。５〜１５個のＬＥＤ６の光を前方に向けて真っ直ぐに照射でき、８０ｍ〜１００ｍ先まで明るく照らすことができる。消費電力が少なく、５０時間〜８０時間にわたって使用できる。
【００１９】
また、把手部４は、後端部４Ａが自由端となるように形成され、後端部４Ａには、シガーライト用プラグ差込自在の電力取出孔部５が設けられているので、イオン空気活性器４０又は電子機器充電ケーブル４１等を差し込んで、簡単に使用できる。台風や地震等の災害に於ける停電時に、携帯電話やスマートフォン等の電子機器を充電する非常用電源として使用することができる。また、把手部４を握り易く、使い勝手が良い。
【００２０】
また、本体ケーシング１は、後端面１Ａが鉛直状平坦面に形成されているので、発光部８を上向きにして安定して載置でき、光を全方位に拡散するランタンとしても使用できる。
【符号の説明】
【００２１】
１  本体ケーシング
１Ａ  後端面
４  把手部
４Ａ  後端部
５  電力取出孔部
６  ＬＥＤ
７  凹状鏡面部
８  発光部
９  反射板
【図１】
2015046276.tif 000003
【図２】
2015046276.tif 000004
【図３】
2015046276.tif 000005
【図４】
2015046276.tif 000006
【図５】
2015046276.tif 000007
【図６】
2015046276.tif 000008
【図７】
2015046276.tif 000009
【図８】
2015046276.tif 000010
【図９】
2015046276.tif 000011